(57)【特許請求の範囲】
【請求項１】
レコーダ又はＴＶセットに供給されるビデオ信号の１本以上の選択されたビデオライン中のコピー保護信号の効果を阻止又は低減する方法であって、上記コピー保護信号は、対応するＡＧＣパルスと共に同期パルス及び／又は擬似同期パルスを含み、上記同期パルス及び／又は擬似同期パルスは、上記対応したＡＧＣパルスから零以上の小さい位置的分離区間を有し、当該方法は、
上記同期又は擬似同期パルスに、対応したＡＧＣパルスの前縁から、コピー保護効果を維持する小さい位置的分離区間だけ離れた後縁を付与する手順と、
上記同期又は擬似同期パルスと上記対応したＡＧＣパルスとの間に、コピー保護信号の効果を阻止又は低減させるのに充分な修正された位置的分離区間を設けるため、上記同期若しくは擬似同期パルスの後縁又は上記対応したＡＧＣパルスの前縁の何れかを相対的に移動させる手順、又は上記同期若しくは擬似同期パルスの後縁及び上記対応したＡＧＣパルスの前縁の相対位置を移動させる手順と、
を有することを特徴とする方法。
【請求項２】
上記ＡＧＣパルスの前縁を、上記同期パルス又は擬似同期パルスの対応する後縁よりも、上記修正された位置的分離区間に応じた時間だけ遅延させる手順を有することを特徴とする請求項１記載の方法。
【請求項３】
遅延の量が、約１．０乃至約２．１マイクロ秒であることを特徴とする請求項２記載の方法。
【請求項４】
上記同期パルス及び／又は擬似同期パルスの後縁を、対応した上記ＡＧＣパルスの前縁よりも、上記修正された位置的分離区間に応じた時間だけ前進させる手順を有することを特徴とする請求項１記載の方法。
【請求項５】
前進の量が、約１．０乃至約２．１マイクロ秒であることを特徴とする請求項４記載の方法。
【請求項６】
上記ＡＧＣパルスを、対応した上記同期パルス又は擬似同期パルスよりも約０．５乃至約１．５マイクロ秒だけ遅延させ、上記同期パルス又は擬似同期パルスの後縁を、対応する遅延した上記ＡＧＣパルスよりも約０．５乃至約１．５マイクロ秒だけ前進させる手順を有することを特徴とする請求項１記載の方法。
【請求項７】
上記同期パルス、上記擬似同期パルス及び／又は上記ＡＧＣパルスの相対位置を動かすと共に、上記同期パルス、上記擬似同期パルス及び／又は上記ＡＧＣパルスの間隔を狭小化する手順を有することを特徴とする請求項１記載の方法。
【請求項８】
上記修正された位置的分離区間のビデオレベルはブランキングレベル付近の領域におけるビデオレベルである、請求項１記載の方法。
【請求項９】
コピー保護信号の効果を部分的に阻止する修正された位置的分離区間が設けられるように、上記ＡＧＣパルスを上記同期又は擬似同期パルスよりも遅延させる手順と、
コピー保護信号の効果を充分に阻止又は低下させるように上記ＡＧＣパルスを狭小化する手順と、
を有することを特徴とする請求項１記載の方法。
【請求項１０】
狭小化された同期パルス又は擬似同期パルスを得るため、上記同期パルス又は擬似同期パルスの後縁を前進させる手順と、
狭小化されたＡＧＣパルスを得るため、対応した上記ＡＧＣパルスの前縁を遅延させる手順と、
を有し、
結果的に生じる修正された位置的分離区間は、上記同期パルス又は擬似同期パルス及び上記対応したＡＧＣパルス間で、コピー保護信号の効果を阻止又は低下させるのに充分な大きさであることを特徴とする請求項１記載の方法。
【請求項１１】
上記ＡＧＣパルスの位置を遅延させる手順と、
同期パルス及び／又は擬似同期パルスを狭小化させるため、上記同期パルス及び／又は擬似同期パルスを前進させる手順と、
を有し、
上記同期パルス又は擬似同期パルスと、対応した上記ＡＧＣパルスとの間に設けられる結果的に生じる更に修正された分離区間は、コピー保護信号の効果を阻止又は低下させるために充分な大きさであることを特徴とする請求項１記載の方法。
【請求項１２】
上記同期パルス及び／又は擬似同期パルス並びに上記ＡＧＣパルスにより形成された複数のコピー保護信号の全部若しくは一部を充分に除去する手順と、
新しい同期パルス及び／又は擬似同期パルスを、除去された元の同期パルス及び／又は擬似同期パルスの位置よりも前に挿入する手順と、
コピー保護信号の効果を阻止又は低下させるために充分な大きさの上記修正された位置的分離期間を設けるべく、新しいＡＧＣパルスを、元のＡＧＣパルスの位置よりも充分に後に挿入する手順と、
を更に有することを特徴とする請求項１記載の方法。
【請求項１３】
通常の同期パルス及び対応したＡＧＣパルスの間に上記小さい位置的分離区間を設ける手順と、
コピー保護信号の効果を阻止又は低下させるため、通常の同期パルスと対応したＡＧＣパルスとの間に上記修正された位置的分離区間を維持したまま上記ＡＧＣパルスで位置変調を行なう手順と、
を更に有することを特徴とする請求項１記載の方法。
【請求項１４】
上記移動させる手順は、上記修正された位置的分離区間を維持したまま上記同期パルス及び／又は擬似同期パルスと、対応した上記ＡＧＣパルスの少なくとも一部の順序を逆転することを特徴とする請求項１記載の方法。
【請求項１５】
上記移動させる手順は、上記同期パルス及び／又は擬似同期パルスの全部又は一部、及び対応する上記ＡＧＣパルスを１８０度まで移相することを特徴とする請求項１記載の方法。
【請求項１６】
コピー保護の効果を復元するため、上記ＡＧＣパルスの前縁、及び／又は、対応した上記同期パルス又は擬似同期パルスの後縁の相対位置を移動させ、上記修正された位置的分離区間を上記小さい位置的分離区間に戻す手順を有し、
上記移動させる手順は選択された複数のビデオラインに対し繰り返し行われ、
阻止されたコピー保護信号を復元し、視聴可能なコピーの記録を防止することを特徴とする請求項１記載の方法。
【請求項１７】
上記ＡＧＣパルス、上記同期パルス及び／又は擬似同期パルスのパルス幅を変更するのに応じて、上記位置的分離区間が増減されるように、対応したＡＧＣパルスに対する上記同期パルス及び／又は擬似同期パルスの相対位置を移動させる手順を有することを特徴とする請求項１６記載の方法。
【請求項１８】
上記同期パルス及び／又は擬似同期パルスを前進又は後退させると共に上記ＡＧＣパルスの遅れの量を逆向きに変化させることによって、上記位置的分離区間を変化させる手順を有することを特徴とする請求項１６記載の方法。
【請求項１９】
レコーダ又はＴＶセットに供給されるビデオ信号の１本以上の選択されたビデオライン中のコピー保護信号の効果を阻止又は低減する装置であって、上記コピー保護信号は、対応するＡＧＣパルスと共に同期パルス及び／又は擬似同期パルスを含み、上記同期及び／又は擬似同期パルスは、対応するＡＧＣパルスから零以上の小さい位置的分離区間を有し、当該装置は、
上記同期パルス及び／又は擬似同期パルスの後縁及び上記ＡＧＣパルスの前縁を有するコピー保護付きのビデオ信号に、コピー保護の効果を維持する上記所与の小さい位置的分離区間を与える入力手段（ａ）と、
同期パルス及び／又は擬似同期パルスと対応するＡＧＣパルスを含む１本以上のビデオラインを表し、コピー保護信号の一以上の部分と同時に起こるタイミング信号を発生する、上記入力手段に応答するタイミング回路（５４，７０，８６−９４）と、
コピー保護信号の効果を十分に低下又は阻止させる、上記同期パルス及び／又は擬似同期パルスと上記ＡＧＣパルスとの間に修正された位置的分離区間を設けるため、上記タイミング回路に応答し、対応する上記ＡＧＣパルスの選択された縁又は位置を、上記ＡＧＣパルスの選択された縁又は位置に対して移動させる回路手段（５０−５６，６６−６８，８２−８４，９８−１０６，１１０，１１２−１１６）と、
を有することを特徴とする装置。
【請求項２０】
上記タイミング回路が、選択された同期信号を生ずる同期分離手段（５２）を含み、
上記同期分離手段に応答しタイミング信号を生ずるタイミング回路部（５４）を含み、
上記回路手段は、上記コピー保護付きのビデオ信号の１以上の部分を遅延させる遅延手段（５０）を含み、
当該装置は、上記タイミング信号に応じて、上記遅延したＡＧＣパルスを上記コピー保護付きのビデオ信号に挿入するスイッチング手段（５８）が更に設けられていることを特徴とする請求項１９記載の装置。
【請求項２１】
上記タイミング回路は選択された同期信号を生ずる同期分離手段（６４）を含み、
上記同期分離手段に応答しタイミング信号を生ずるタイミング回路部（７０）を含み、
上記回路手段は、上記タイミング回路部に応答し、上記修正された位置的分離区間を表す制御信号を与える論理回路手段（７２）を含み、
当該装置は、上記制御信号に応じて上記修正された位置的分離区間のパルスをコピー保護付きのビデオ信号に挿入するスイッチング手段（７４）を含むことを特徴とする請求項１９記載の装置。
【請求項２２】
コピー保護付きのビデオ信号を受け、上記制御信号に応じてカラーバースト信号を上記ビデオ信号に挿入するクロマフィルタ（７８）を有することを特徴とする請求項１９記載の装置。
【請求項２３】
上記タイミング回路は、選択された同期信号を生ずる同期分離手段（８０）を含み、
上記同期分離手段に応答しタイミング信号を生ずるタイミング回路部（８６−９４）を有し、
上記回路手段は、上記同期分離手段に応答し、シフトされた同期パルス又は擬似同期パルスを表す信号を生ずる発振器／ワンショット手段（８２，８４）と、
上記タイミング回路部及び上記発振器／ワンショット手段に応答し、選択されたビデオラインに選択された同期パルス及び／又は擬似同期パルスを付与する論理手段（９６）と、
上記同期パルス及び／又は擬似同期パルスを受け、選択された可変電圧制御信号に応答し、更なる位置的分離区間を定めるため対応した同期パルス又は擬似同期パルスからの遅延量を変える上記ＡＧＣパルスを与えるタイマー回路手段（９８−１０２）と、
コピー保護付きのビデオ信号及び遅延した上記ＡＧＣパルスを受け、コピー保護効果を阻止又は低下させるため、シフトされた上記同期パルス又は擬似同期パルス並びに対応した上記遅延したＡＧＣパルスを、コピー保護付きのビデオ信号と加える加算手段（１０４，１０６）と、
を有することを特徴とする請求項１９記載の装置。
【請求項２４】
上記タイミング回路部は、
上記同期分離手段に応答してライン部分タイミング信号を生ずるワンショット回路（８６，８８）と、
上記同期分離手段に応答し、選択されたラインタイミング信号を生ずるラインカウンタ手段（９０，９２）及びメモリ回路（９４）と、
を有し、
上記ライン部分タイミング信号及び上記選択されたラインタイミング信号は上記論理手段（９６）へ供給されることを特徴とする請求項２３記載の装置。
【請求項２５】
上記タイマー回路手段は、
第１の電圧制御型ワンショット部（９８）と、
上記第１の電圧制御型ワンショット部に接続された排他的ＯＲゲート（１００）と、
上記排他的ＯＲゲートに接続され、遅延量を変える上記ＡＧＣパルスを生ずる第２の電圧制御型ワンショット部（１０２）と、
を有し、
上記加算手段は、
遅延した上記ＡＧＣパルスとコピー保護付きのビデオ信号を合成する第１の加算増幅器（１０４）と、
上記第１の加算増幅器に接続され、上記シフトした同期パルス及び擬似同期パルスと、コピー保護付きのビデオ信号を含む対応した上記遅延したＡＧＣパルスを合成する第２の加算増幅器（１０６）と、
を有することを特徴とする請求項２３記載の装置。
【請求項２６】
上記コピー保護信号は同期パルス及び／又は擬似同期パルスと対応したＡＧＣパルスのパルス対を含み、
上記タイミング回路はライト信号及びリード信号を供給する制御手段を含み、
上記回路手段は上記ライト信号に応じてコピー保護付きのビデオ信号を受け取るメモリ手段を含み、
記憶されたコピー保護付きのビデオ信号は、コピー保護信号の効果を阻止若しくは低下させる上記更なる位置的分離区間が上記同期パルス又は擬似同期パルスと対応した上記ＡＧＣパルスとの間に含まれる順番の逆転したパルス対が得られるように、上記リード信号に応じて上記メモリ手段から逆順に復元されることを特徴とする請求項１９記載の装置。
【請求項２７】
上記コピー保護付きのビデオ信号を逆順に復元する処理は、上記同期パルス及び／又は擬似同期パルス並びに対応した上記ＡＧＣパルスの対から形成されたコピー保護信号の全部若しくは選択された部分に対し行われることを特徴とする請求項２６記載の装置。
【請求項２８】
上記タイミング回路は制御電圧（１１８）のソースを含み、
コピー保護付きのビデオ信号を受け取り、反転／移相した同期パルス又は擬似同期パルス並びに対応したＡＧＣパルスを生ずる反転増幅器／移相器手段（１１２）と、
上記制御電圧（１１８）に応答し、元の同期パルス及び／又は擬似同期パルス並びに対応したＡＧＣパルスを、上記反転／移相した同期パルス及び／又は擬似同期パルス並びに対応したＡＧＣパルスで置換するディゾルブ増幅器手段（１１４）と、
を含むことを特徴とする請求項２６記載の装置。
【請求項２９】
第２の制御電圧（１２０）のソースと、
上記ディゾルブ増幅器手段の出力を受け、上記第２の制御電圧に応答し、上記反転／移相した同期パルス又は擬似同期パルス並びに対応したＡＧＣパルスをレベルシフト／減衰させるレベルシフタ／減衰器手段（１１６）と、
を更に有することを特徴とする請求項２８記載の装置。
【請求項３０】
同期パルス及び／又は擬似同期パルスとその後に続くＡＧＣパルスを利用してビデオ信号にコピー保護信号を付与する方法であって、
コピー保護を維持する実質的に零の小さな位置的分離区間を有するように、上記同期パルス又は擬似同期パルスに、対応した上記ＡＧＣパルスの前縁と同時に出現する後縁を付与する手順と、
コピー保護信号の効果を阻止又は低下する修正された位置的分離区間を与えるため、上記同期パルス及び／又は擬似同期パルスと、対応した上記ＡＧＣパルスとの間の上記位置的分離区間を時間的に動的に増加させる手順と、
コピー保護を維持する零の位置的分離区間に実質的に小さく戻すため、上記同期パルス及び／又は擬似同期パルスと、対応した上記ＡＧＣパルスの間の上記位置的分離区間を時間的に動的に減少させる手順と、
を有し、
上記動的に増加させる手順と上記動的に減少させる手順は、時間経過と共に反復されることを特徴とする方法。
【請求項３１】
１以上の同期パルス及び／又は擬似同期パルス並びに対応したＡＧＣパルスの間の位置的分離区間を、実質的に零の小さな位置的分離区間から約１．５乃至少なくとも約３．８マイクロ秒の修正された位置的分離区間まで動的に変化させることを特徴とする請求項３０記載の方法。
【請求項３２】
対応したＡＧＣパルスに対する上記同期パルス又は擬似同期パルスの後縁の進み量を変化させることによって、上記位置的分離区間を動的に変化させることを特徴とする請求項３０記載の方法。
【請求項３３】
対応した同期パルス及び／又は擬似同期パルスに対する上記ＡＧＣパルスの前縁の遅れ量を変化させることによって、上記位置的分離区間を動的に変化させることを特徴とする請求項３０記載の方法。
【請求項３４】
上記同期パルス及び／又は擬似同期パルスの進み量を変化させ、対応した上記ＡＧＣパルスの遅れ量を逆向きに変化させることによって、上記位置的分離区間を動的に変化させることを特徴とする請求項３０記載の方法。
【請求項３５】
上記ＡＧＣパルス、及び／又は、対応した上記同期パルス若しくは擬似同期パルスのパルス幅の期間を変化させることによって上記位置的分離区間を動的に変化させることを特徴とする請求項３０記載の方法。
【請求項３６】
上記ＡＧＣパルスと、対応した上記同期パルス及び／又は擬似同期パルスの全部又は一部を動的に狭小化することを特徴とする請求項３０記載の方法。
【請求項３７】
同期パルス及び／又は擬似同期パルスとその後に続く対応したＡＧＣパルスを利用してビデオ信号にコピー保護信号を付与する装置であって、
コピー保護信号を収容すべきビデオラインを表すタイミング信号、及び、選択されたコピー保護信号の上記ビデオライン中での場所を表すタイミング信号を与えるタイミング回路（８０−９４）と、
上記タイミング回路に応答し、選択的に導出された擬似同期パルスを生成し、上記選択的に導出された擬似同期パルスに応じて幅及び場所が変化したＡＧＣパルスを生成する回路手段（９８−１０２）と、
ビデオ信号を受信し、上記回路手段及び上記タイミング回路に応答し、擬似同期パルスと、対応したパルス幅変調及び／又は位置変調されたＡＧＣパルスにより構成された動的コピー保護信号を上記ビデオ信号に付加又は挿入する加算手段（１０４，１０６）と、
を有することを特徴とする装置。
【請求項３８】
上記タイミング回路は、水平レート信号及びフレームレート信号を与える同期分離手段（８０）を含み、
上記水平レート信号に応答し、水平レートに関連した信号の正側パルス幅を定める第１の信号を生じる手段（８２，８４）と、
上記水平レート信号に応答し、ビデオライン中の同期パルスの場所を表す第２の信号を生じるタイミング生成手段（８６，８８）と、
上記水平レート信号に応答し、コピー保護信号を収容すべきビデオラインを表す第３の信号を生じる手段（９０−９４）と、
上記第１の信号、上記第２の信号及び上記第３の信号に応答し、選択されたビデオラインに反転した擬似同期パルスを付与する論理手段（９６）と、
を含み、
上記回路手段は、制御電圧（ＶＣ１，ＶＣ２）に応答し、パルス幅及び位置的が変化する上記ＡＧＣパルスを生ずるタイマー回路手段（９８−１０２）を含み、
上記加算手段は、ビデオ信号を受け、導出された擬似同期パルスと上記パルス幅及び位置が変化した上記ＡＧＣパルスとに応答し、上記導出された同期パルスに対し位置変調されたＡＧＣパルスを生じる加算増幅器（１０４，１０６）を含み、これにより、動的に変化するコピー保護付きのビデオ信号が得られることを特徴とする請求項３７記載の装置。
【請求項３９】
上記第１の信号を生じる手段は、水平レート信号に応答する水平ロック発振器（８２）を含み、
上記第３の信号を生じる手段はラインカウンタ（９２）に応答するメモリ手段（９４）を含み、
上記タイマー回路手段は電圧制御型ワンショット回路の対（９８，１０２）を含み、
上記加算増幅器は、導出された擬似同期パルスと上記パルス幅及び位置が変化するＡＧＣパルスとに応答する第１及び第２の加算増幅器（１０４）を含むことを特徴とする請求項３８記載の装置。
【請求項４０】
上記回路手段（９８−１０２）はレイズド・バックポーチＡＧＣパルスとして上記ＡＧＣパルスを発生し、
上記回路手段は、上記レイズド・バックポーチＡＧＣパルスを時間的に動的に位置変調及び／又はパルス幅変調することを特徴とする請求項３７記載の装置。
【請求項４１】
コピー保護信号は、同期パルス、対応したレイズド・バックポーチＡＧＣパルス、及び／又は擬似同期パルス並びに対応したＡＧＣパルスを含み、
上記回路手段（９８−１０２）は、上記パルスを動的に位置変調、パルス幅変調、及び／又は、ギャップ幅変調することを特徴とする請求項３７記載の装置。
【請求項４２】
上記小さい位置的分離区間及びコピー保護信号を付与するため、上記ＡＧＣパルスに、対応した同期又は擬似同期パルスの後縁と一致する又は上記後縁から約１．０マイクロ秒だけ離れた前縁を付与する手順と、
コピー保護信号のコピー保護の効果を阻止又はさせるため、上記ＡＧＣパルスと、対応した上記同期パルス及び／又は擬似同期パルスの時間的な相対的位置を１．５乃至約３．８マイクロ秒の間隔に分離する手順と、
を含むことを特徴とする、コピー保護信号をビデオ信号に付与し、所望の場合にコピー保護信号を阻止する請求項１記載の方法。
【請求項４３】
上記ＡＧＣパルスが、位置変調されたレイズドバックポーチＡＧＣパルスであることを特徴とする請求項１記載の方法。
【請求項４４】
上記ＡＧＣパルスのみが、連続的に又は断続的に位置を変えることを特徴とする請求項３０記載の方法。
【請求項４５】
位置的分離区間の増減が、上記同期パルス及び／又はＡＧＣパルスを位置及び／又はパルス幅変調することで行なわれ、
当該方法が、上記位置及び／又はパルス幅変調された同期パルス、擬似同期パルス及び／又はＡＧＣパルスを振幅変調するステップを更に有することを特徴とする請求項３０記載の方法。
【請求項４６】
同期パルス及び／又は擬似同期パルスと後続のＡＧＣパルス及び／又はレイズドバックポーチＡＧＣパルスを用いて、ビデオ信号にコピー保護信号を付与する方法であって、
同期パルス、擬似同期パルス、ＡＧＣパルス及び／又はレイズドバックポーチＡＧＣパルスの内の１以上のパルスに関する位置、パルス幅又は振幅の少なくとも１つ又は選択的な組合わせで動的に変調し、コピー保護とコピー保護の阻止又は低減との間で動的に切り替え、コピー保護信号を処理することを特徴とする方法。
【請求項４７】
選択されたレイズドバックポーチパルスが、前記の処理を支援するために、位置変調され又は遅延した時点に設定されることを特徴とする請求項４６記載の方法。
【請求項４８】
ＡＧＣ又はレイズドバックポーチＡＧＣパルスが、位置変調及び／又はパルス幅変調されることを特徴とする請求項４６記載の方法。
【請求項４９】
前記同期及び／又は擬似同期パルスのみが、位置変調及び／又はパルス幅変調されることを特徴とする請求項４６記載の方法。
【請求項５０】
ＡＧＣパルスの又は同期パルス若しくは擬似同期パルスの及び対応したＡＧＣパルスの位置、パルス幅及び／又は振幅を動的に変調する手順を含み、単一のＡＧＣ、同期又は擬似同期パルスが変調されることを特徴とする請求項４６記載の方法。
【発明の詳細な説明】
【０００１】
［関連出願へのクロスリファレンス］
本発明は、同一人が権利を保有する１９８６年１２月１２日に発行された発明の名称が”ＭＥＴＨＯＤ ＡＮＤ ＡＰＰＡＲＡＴＵＳ ＦＯＲ ＰＲＯＣＥＳＳＩＮＧ Ａ ＶＩＤＥＯ ＳＩＧＮＡＬ ＳＯ ＡＳ ＴＯ ＢＥ ＡＢＬＥ ＴＯ ＰＲＯＨＩＢＩＴ ＴＨＥ ＭＡＫＩＮＧ ＯＦ ＡＣＣＥＰＴＡＢＬＥ ＶＩＤＥＯ ＴＡＰＥ ＲＥＣＯＲＤＩＮＧＳ ＴＨＥＲＥＯＦ”の米国特許第４，６３１，６０３号、１９８７年９月２２日に発行された発明の名称が”ＭＥＴＨＯＤ ＡＮＤ ＡＰＰＡＲＡＴＵＳ ＦＯＲ ＲＥＭＯＶＩＮＧ ＰＳＥＵＤＯ−ＳＹＮＣ ＰＵＬＳＥＳ ＡＮＤ／ＯＲ ＡＧＣ ＰＵＬＳＥＳ ＦＲＯＭ Ａ ＶＩＤＥＯ ＳＩＧＮＡＬ”の米国特許第４，６９５，９０１号、１９９０年３月６日に発行された発明の名称が”ＭＥＴＨＯＤ ＡＮＤ ＡＰＰＡＲＡＴＵＳ ＦＯＲ ＰＲＥＶＥＮＴＩＮＧ ＴＨＥ ＣＯＰＹＩＮＧ ＯＦ Ａ ＶＩＤＥＯ ＰＲＯＧＲＡＭ”の米国特許第４，９０７，０９３号、１９８９年４月４日に発行された発明の名称が”ＭＥＴＨＯＤ ＡＮＤ ＡＰＰＡＲＡＴＵＳ ＦＯＲ ＣＬＵＳＴＥＲＩＮＧ ＭＯＤＩＦＩＣＡＴＩＯＮＳ ＭＡＤＥ ＴＯ Ａ ＶＩＤＥＯ ＳＩＧＮＡＬ ＴＯ ＩＮＨＩＢＩＴ ＴＨＥ ＭＡＫＩＮＧ ＯＦ ＡＣＣＥＰＴＡＢＬＥ ＶＩＤＥＯ ＴＡＰＥ ＲＥＣＯＲＤＩＮＧＳ”の米国特許第４，８１９，０９８号、１９９２年１０月２０日に発行された発明の名称が”ＭＥＴＨＯＤ ＡＮＤ ＡＰＰＡＲＡＴＵＳ ＦＯＲ ＤＩＳＡＢＬＩＮＧ ＡＮＴＩ−ＣＯＰＹ ＰＲＯＴＥＣＴＩＯＮ ＳＹＳＴＥＭ ＩＮ ＶＩＤＥＯ ＳＩＧＮＡＬＳ ＵＳＩＮＧ ＰＵＬＳＥ ＮＡＲＲＯＷＩＮＧ”の米国特許第５，１５７，５１０号、１９９３年３月１６日に発行された発明の名称が”ＭＥＴＨＯＤ ＡＮＤ ＡＰＰＡＲＡＴＵＳ ＦＯＲ ＤＩＳＡＢＬＩＮＧ ＡＮＴＩ−ＣＯＰＹ ＰＲＯＴＥＣＴＩＯＮ ＳＹＳＴＥＭ ＩＮ ＶＩＤＥＯ ＳＩＧＮＡＬＳ”の米国特許第５，１９４，９６５号、１９９７年４月２９日に発行された発明の名称が”ＭＥＴＨＯＤ ＡＮＤ ＡＰＰＡＲＡＴＵＳ ＴＯ ＤＥＦＥＡＴ ＣＥＲＴＡＩＮ ＣＯＰＹ ＰＲＯＴＥＣＴＩＯＮ ＰＵＬＳＥＳ ＷＩＴＨＩＮ Ａ ＶＩＤＥＯ ＳＩＧＮＡＬ”の米国特許第５，６２５，６９１号、１９９７年５月２７日に発行された発明の名称が”ＶＩＤＥＯ ＣＯＰＹ ＰＲＯＴＥＣＴＩＯＮ ＰＲＯＣＥＳＳ ＥＮＨＡＮＣＥＭＥＮＴ ＴＯ ＩＮＴＲＯＤＵＣＥ ＨＯＲＩＺＯＮＴＡＬ ＡＮＤ ＶＥＲＴＩＣＡＬ ＰＩＣＴＵＲＥ ＤＩＳＴＯＲＴＩＯＮＳ”の米国特許第５，６３３，９２７号、１９９８年５月５日に発行された発明の名称が”ＭＥＴＨＯＤ ＡＮＤ ＡＰＰＡＲＡＴＵＳ ＴＯ ＲＥＤＵＣＥ ＥＦＦＥＣＴＳ ＯＦ ＣＥＲＴＡＩＮ ＣＯＰＹ ＰＲＯＴＥＣＴＩＯＮ ＰＵＬＳＥＳ ＷＩＴＨＩＮ Ａ ＶＩＤＥＯ ＳＩＧＮＡＬ”の米国特許第５，７４８，７３３号、１９９７年８月２６日に発行された発明の名称が”ＭＥＴＨＯＤ ＡＮＤ ＡＰＰＡＲＡＴＵＳＦＯＲ ＳＴＡＢＩＬＩＺＩＮＧ ＡＮＤ ＢＲＩＧＨＴＥＮＩＮＧ ＰＲＥＲＥＣＯＲＤＥＤ ＴＶ ＳＩＧＮＡＬＳ ＥＮＣＯＤＥＤ ＷＩＴＨ ＣＯＰＹ ＰＲＯＴＥＣＴＩＯＮ”の米国特許第５，６６１，８０１号、１９８２年６月２２日に発行された発明の名称が”ＣＯＤＥ ＳＩＧＮＡＬ ＢＬＡＮＫＩＮＧ ＡＰＰＡＲＡＴＵＳ”��米国特許第４，３３６，５５４号、並びに、１９９６年１２月１０日に発行された発明の名称が”ＶＩＤＥＯ ＣＯＰＹ ＰＲＯＴＥＣＴＩＯＮ ＰＲＯＣＥＳＳ ＥＮＨＡＮＣＥＭＥＮＴ ＴＯ ＩＮＴＲＯＤＵＣＥ ＨＯＲＩＺＯＮＴＡＬ ＡＮＤ ＶＥＲＴＩＣＡＬ ＰＩＣＴＵＲＥ ＤＩＳＴＯＲＴＩＯＮＳ”の米国特許第５，５８３，９３６号に関連する。
【０００２】
本発明は、また、１９７９年１月３１日に発行された発明の名称が”ＭＥＴＨＯＤ ＡＮＤ ＡＰＰＡＲＡＴＵＳ ＦＯＲ ＭＯＤＩＦＹＩＮＧ Ａ ＶＩＤＥＯ ＳＩＧＮＡＬ ＴＯ ＰＲＥＢＥＮＴ ＵＮＡＵＴＨＯＲＩＺＥＤ ＲＥＣＯＲＤＩＮＧ ＡＮＤ ＲＥＰＲＯＤＵＣＴＩＯＮ ＴＨＥＲＥＯＦ”の米国特許第４，１６３，２５３号に関連する。
【０００３】
［発明の背景］
・発明の分野
本発明は、ビデオコピー保護信号の効果を阻止、除去或いは軽減する機構及び／又は方法の分野に含まれる。この機構は、ビデオコピー保護信号の合成及び改良にも使用される。
【０００４】
・従来技術の説明
ハリウッド映画業界は、映画及び番組の不許可コピーに重大な関心がある。一例として、１９９７年９月１７日に、米国モーション・ピクチャー・アソシエーションの会長兼最高経営責任者であるＪａｃｋ Ｖａｌｅｎｔｉは、「自分の所有物を保護できないとすると、何も所有することができない」と語った。Ｒｙａｎによる米国特許４，６３１，６０３号には、コピー保護を行うため元の番組ビデオソースを処理する方法が記載されている。コピー保護されたビデオは、ＴＶセット上で視聴することができるが、その記録物は娯楽的価値が失われる。すなわち、記録不能であるビデオ番組は、低コントラスとから同期の問題までに及ぶアーティファクトによって妨げられる。上記の米国特許第４，６３１，６０３号には、コピー保護信号を表示するテレビジョン受像機にブラック・デプレッション問題を起こすことなく、ビデオカセットレコーダのＡＧＣシステムを「混乱させる」、すなわち、ＡＧＣシステムの誤動作を生じさせる方法が記載されている。
【０００５】
１９９４年７月２８日にＴｏｍａｓｚ Ｕｒｂａｎｉｅｃにより出願された発明の名称が”Ｍｅｔｈｏｄ ａｎｄ Ｄｅｖｉｃｅ ｆｏｒ Ｐｒｏｔｅｃｔｉｎｇ Ｖｉｄｅｏｐｈｏｎｉｃ Ｒｅｃｏｒｄｉｎｇｓ Ａｇａｉｎｓｔ Ａｕｔｈｏｒｉｚｅｄ Ｃｏｐｙｉｎｇ”であるポーランド国特許出願（ＰＬ ３０４４７７（’４７７））には、上記のＲｙａｎによる米国特許４，６３１，６０３号の変形例が開示されている。図１ａには、Ｒｙａｎによる米国特許４，６３１，６０３号の図１ａに記載されたコピー保護ビデオ信号の波形が示されている。図１ｂには、ポーランド国特許出願ＰＬ ３０４４７７の図４に記載された同様のコピー保護ビデオ信号の波形が示されている。
【０００６】
従来技術において公知のように、ビデオカセットシステムは、ルミナンス周波数応答が２ＭＨｚ未満に制限されている。Ｒｙａｎの特許に記載されているように、（コピー保護の影響を回避するため）ＡＧＣが停止されたビデオカセットダビング用レコーダで記録された信号は、ダビング用レコーダの制限周波数応答によってパルス形状が変更されたビデオ信号を生成する。Ｒｙａｎの特許において、擬似同期パルスとＡＧＣパルスの間にギャップが存在しないため、家庭向けダビング用レコーダのＡＧＣシステムは、混合した擬似同期パルスとＡＧＣパルスに応答する。
【０００７】
記録用ＶＣＲの制限帯域幅は、０．５μ秒乃至２．０μ秒の時間的ギャップで分離された擬似同期パルスとＡＧＣパルスの混合に対し僅かに異なる応答を示す。時間的ギャップが０．５μ秒程度しかない場合、記録用ビデオカセットレコーダの制限帯域幅は、時間的ギャップを効率的に除去するため時間的ギャップを変形させ、コピー保護の有効性の程度は、Ｒｙａｎの特許によって達成された程度と基本的に同じである。ギャップ幅が広くなると共に、コピー保護の有効性は減少し、除去される。
【０００８】
コピー保護処理を阻止するため、上述の米国特許第４，６９５，９０１号（’９０１）、第４，３３６，５５４号（’５５４）、第５，１５７，５１０号（’５１０）、第５，１９４，９６５号（’９６５）、第５，５８３，９３６号（’９３６）、第５，６３３，９２７号（’９２７）、第５，７４８，７３３号（’７３３）、及び、第５，６６１，８０１号（’８０１）に記載されているように減衰、ブランキング、狭小化、レベルシフト、コピー保護パルスの変更及び／又はクリッピングのような多数の方法が知られている。
【０００９】
上述の特許において、ＡＧＣパルス及び／又は同期若しくは擬似同期パルス（米国特許第４，６９５，９０１号を参照のこと）は、振幅が変更され、通常の同期パルスに対しレベルが変更され、及び／又は、パルス幅が変更され、要求に足りる記録を行うことができる。
【００１０】
特に、米国特許第５，１９４，９６５号及び第５，１５７，５１０号には、ＡＧＣパルス及び／又は擬似同期パルスを狭小化することにより、記録用ＶＣＲが狭小化された付加パルスを検知せず、満足できるコピーを作成できることが記載されている。
【００１１】
［発明の概要］
コピー保護（コピー防止）信号を阻止するため、本発明は、ＡＧＣパルス及び／又は同期若しくは擬似同期パルスのパルス位置変調及びパルス幅変調を利用する。本発明によれば、ＡＧＣパルス及び／又は擬似同期パルスの間に充分に広い時間的ギャップを挿入し、これにより、記録用ＶＣＲは、同期パルス又は擬似同期パルスに応答、或いは、検知すると共に、記録可能なコピーを作成する。
【００１２】
本発明のコピー保護の阻止機構は、上記の従来技術による任意の阻止技術と組み合わせて使用することが可能である。たとえば、コピー保護処理を阻止するため、ＡＧＣパルスを先行の擬似同期パルスから約１．５μ秒だけシフト（遅延）させ、次に、先行の擬似同期パルスの後縁を０．６μ秒ずつ切り詰める（トリムする）。これにより、整えられた擬似同期パルスの後縁と、遅延されたＡＧＣパルスの前縁との間に約２．１μ秒のギャップが得られる。このギャップが、たとえば、２．１μ秒間のブランキングレベルに近い場合、ＶＣＲは、ＡＧＣ増幅器のため付加されたＡＧＣパルスの代わりに、ギャップの電圧をサンプリングする。このブランキングレベル付近のギャップ電圧をサンプリングすることにより、コピー保護信号は無効にされる。或いは、ギャップ電圧レベルは、ブランキングレベルよりも上又は下に設定してもよい。擬似同期パルスの後縁に対しＡＧＣパルスの前縁の位置を単純に遅延又はシフトさせることにより、擬似同期パルスとＡＧＣパルスの間のギャップは、ＡＧＣコピー保護信号の効果を無効、又は、部分的に無効にすることに注意する必要がある。このギャップは、コピー保護処理を阻止するため、擬似同期パルスの後縁を次に来るＡＧＣパルスの前縁から離す方法、或いは、ＡＧＣパルス及び擬似同期パルスの両方の位置の移動を組み合わせる方法のような他の方法によって作成することができる。１．５μ秒以上の典型的なギャップ間隔は、コピー保護信号を阻止するため有効であることが判明した。擬似同期パルス及び／又はＡＧＣパルスの狭小化を、このギャップと組み合わせることにより、コピー保護信号を阻止する性能が更に向上する。
【００１３】
上記の阻止方法は、変更することができ、かつ、コピー保護信号として使用できることに注意する必要がある。擬似同期パルスの後縁と、次に来るＡＧＣパルスの前縁の間のギャップを０から１．５μ秒まで動的に変化させることにより、振幅変調されたＡＧＣパルスを用いる上記のＲｙａｎによる’６０３号特許を効果的に真似るため、新しいコピー保護信号が作成される。ＡＧＣパルスに対する擬似同期パルスの位置変調、或いは、逆に擬似同期パルスに対するＡＧＣパルスの位置変調を用いてギャップを変更することにより、又は、付加されたパルス（ＡＧＣパルス及び／又は同期若しくは擬似同期パルス）のパルス幅を動的に狭小化若しくは変化させることにより、デジタル域及び／又はアナログ域におけるコピー保護をより容易に実現できるようになる。現在のデジタル域は、ケーブルシステムなどにおいてコピー保護を実現するため選択されるフォーマットの候補である（すなわち、デジタル万能ディスクプレーヤ）。パルス幅のレンジは、たとえば、通常のパルス幅の約５０％乃至１００％である（すなわち、擬似同期パルスの通常の幅は約２．３μ秒であり、ＡＧＣの通常の幅は、テレビジョンラインに追加されたパルスの数に応じて、２．３μ秒乃至３μ秒である）。
【００１４】
一般的に、本発明のコピー保護処理は、たとえば、上記のＲｙａｎによる’６０３号特許の図２ａに記載されているように、パルス対を付加することから始まり、ＡＧＣパルス及び／又は擬似同期パルスは時間的に分離される。位置分離に起因するギャップがコピー保護処理を停止させるために充分では無い場合（すなわち、位置変調が１．０μ秒のギャップにしか達しない場合）、ＡＧＣパルス及び／又は擬似同期パルスは、ギャップを充分に広くするため、時間の関数として狭小化される（すなわち、ＡＧＣパルス及び／又は擬似パルスを、約０．３５μ秒ずつゆっくりと切り詰め、或いは、狭小化し、これにより得られた０．７μ秒を１．０μ秒のギャップに付加することにより、ギャップ間隔が１．７μ秒に増加する）。ギャップがコピー保護信号を阻止又は停止するように拡張された後、新しいコピー保護信号は、ＡＧＣパルスと擬似同期パルスの間の分離区間を（たとえば、零まで）短縮し、（切り詰められ、或いは、狭小化された）ＡＧＣパルス及び／又は擬似同期パルスのパルス幅を完全な通常のパルス幅へ復元することによって再作動される。
【００１５】
コピー保護信号を阻止及び／又は合成するため、同期パルスとＡＧＣパルスの間で相対的な位置変調を使用する方法は、水平帰線消去期間内又は水平帰線消去期間周辺のコピー保護パルスに適用され得る。この方法は、付加パルスの一部を狭小化する処理とも組み合わされ得る。
【００１６】
別の有効なコピー保護信号を生成するため、米国特許第４，６３１，６０３号特許の一変形例が開発された。このため、ＡＧＣパルスは、たとえば、約２０乃至３０秒の期間に亘り、完全な振幅から零まで振幅変調され、或いは、その逆に振幅変調される。その結果として、不正コピーの輝度レベルは絶えず変化する。これにより、（ＡＧＣパルスが静的であり、完全な振幅をもつときの）一定の薄暗いピクチャよりも不快感が生じる。
【００１７】
［好ましい実施例の説明］
既に説明したように、図１ａ及び１ｂは、それぞれ、先行技術によるコピー保護信号及びコピー保護阻止信号を表す図である。
【００１８】
図２には、本発明のコピー保護阻止技術を行うためＡＧＣパルスが遅延される方法に対応した多数の波形を示す図である。図２の波形Ｄは、図１ａに示された通常位置におけるＡＧＣパルス及び擬似同期パルスを示す。波形Ａ〜Ｃは、擬似同期パルスの後縁と対応したＡＧＣパルスの前縁の間にある遅延又はギャップを示す。波形Ａ及びＢは、コピー保護信号をターンオフ（停止）する際に有効であり、波形Ｃは、コピー保護信号を部分的に減少若しくは停止する。コピー保護信号を効果的に阻止するためには、波形Ａ及びＢが優れている。
【００１９】
オンとオフの間で動的に変化する新しいコピー保護信号のため、本発明の一つの技術によれば、図２の波形Ｄ（コピー保護はオン）の数秒から始まり、次に、図２の波形Ｃ（コピー保護は部分的にオン）に移る。図２におけるギャップ、又は、分離区間Ｔ４は、好ましくは、零から約１．５μ秒以上まで、連続的若しくは不連続的に変化する。波形Ａはコピー保護をターンオフさせるため使用される。
【００２０】
図２（並びに、図３及び４）において、時間間隔Ｔ１は、第１の擬似同期パルス周期に対する通常の同期を定義し、時間間隔Ｔ２は、付加された擬似同期パルスの繰り返しレートを定義し、時間間隔Ｔ３は、擬似同期パルスの幅を定義し、時間間隔Ｔ４は、ギャップ間隔を定義する。時間間隔Ｔ６は、オプションとして含まれるホワイト基準パルスの幅を定義する。
【００２１】
図３は、ＡＧＣパルスが狭小化された図２の実施例の変形を示す図であり、擬似同期パルスを同様に狭小化させてもよい。図３の波形Ｈにおいて、パルスは、上述の第’５０１号特許及び第’９６５号特許における狭小化ＡＧＣパルスと類似している。図３の波形Ｈは、コピー保護信号を阻止するため使用可能であるが、コピー保護信号の一部としても使用可能である。図２の波形Ｄは、通常のコピー保護信号を表現し、狭小化されたＡＧＣパルスを含む信号である図３の波形Ｈに推移し、図３の波形Ｈは、ギャップと狭小化されたＡＧＣパルスとを含む図３の波形Ｆに推移する。最後に、コピー保護信号は、図３の波形Ｇへの推移によってターンオフされ、ギャップは広くなり、ＡＧＣパルスは狭小化されている。図３の波形Ｅは、図２の波形Ａと等価的であり、コピー保護を阻止するため使用される。
【００２２】
図４の波形Ｄ’は、Ｑｕａｎ他による上述の第’５１０号特許及び第’９６５号特許には例示されていない阻止処理を示す。図４の波形Ｄ’において、擬似同期パルスの後縁は狭小化された擬似同期パルスが得られるように進められ、その後に、狭小化されたＡＧＣパルスが得られるように遅延したＡＧＣパルスの前縁が続く。図４の波形Ｃ’は、擬似同期パルスを狭小化するため進められた後縁を使用してＡＧＣパルスを位置的に遅延させることにより、ＡＧＣパルスの間の間隔で更に拡大されたギャップを示す。図４の波形Ｂ’は、ＡＧＣパルスと擬似同期パルスの間の位置分離と、狭小化されたＡＧＣパルス及び擬似同期パルスとの組み合わせを示す。したがって、波形Ｂ’は、コピー保護パルスを阻止するための方法として使用される。図示されるように、波形Ａ’は、図２の波形Ａ及び図３の波形Ｅと略一致し、コピー保護信号の効果を阻止するため使用される。
【００２３】
或いは、幅が変化した狭小化擬似同期パルス及び／又はＡＧＣパルスを利用することにより、図４は、動的に変化するギャップ（分離区間）と、擬似同期パルス及び／又はＡＧＣパルス上の狭小化の量とに基づいて、本発明の動的コピー保護信号を与える。たとえば、一実施例は、コピー保護処理を行うため図２に示されたような波形Ｄから始まり、次に、図４における波形Ｃ’を用いて部分的なコピー保護を実現するためＡＧＣパルス及び／又は擬似同期パルスを狭小化し、コピー保護を停止させるため図４における波形Ｂ’のような信号に遷移する。次に、この実施例は、コピー保護を復元するため、波形Ｂ’から波形Ｃ’、次に、波形Ｄへとサイクルを逆転する。
【００２４】
図５は、ＡＧＣパルスを擬似同期パルスに対し遅延させることによってコピー保護パルスを阻止する回路の一例を示すブロック図である。このため、（ａ）におけるコピー保護付きのビデオ信号は、入力ビデオを遅延させる遅延ライン回路５０と、同期分離回路５２とへ入力される。同期分離回路の出力は、水平同期パルスＨｓｙｎｃ及び垂直同期パルスＶｓｙｎｃをタイミング回路５４へ渡し、タイミング回路は、レイズド・バックポーチＡＧＣパルスを含むビデオライン及びＡＧＣパルスを含むビデオラインと一致するパルスを（ｄ）で出力する。出力信号ＡＧＣＬＬは、少なくとも入力ビデオ信号のＡＧＣパルスの前縁から（約１．５μ秒以上遅延した）遅延ライン回路５０の出力（ｂ）に現れたＡＧＣパルスの後縁までの間、論理的ハイである。遅延ライン５０に接続されたブラッククリッパ回路５６は、殆ど又は全部の同期パルスを切り取る。かくして、遅延したＡＧＣパルスは、ブラッククリッパ回路の出力（ｃ）で得られる。制御信号ＡＧＣＬＬと共に電子スイッチ５８を使用して、遅延したＡＧＣパルスへ切り換えることにより、コピー保護パルスの影響が増幅器６０の出力（ｅ）で阻止、又は、低減される。
【００２５】
図５ａから５ｅには、図５の異なる場所で発生された波形が示されている。たとえば、図５ｅにおいて、出力は、記録可能なビデオ信号のコピーが得られるよう同期パルスとＡＧＣパルスの間に、図２乃至４のギャップＴ４に対応したギャップ、すなわち、分離区間６２を含む。図５は、コピー保護信号を阻止するため、ＡＧＣパルスの位置的遅延を生成する装置の一例に過ぎないことに注意する必要がある。元のコピー保護信号又はその一部を実質的に除去し、修正された擬似同期パルス及び／又はＡＧＣパルスを生成することにより、等価的な位置的遅延を設計することが可能である。たとえば、入来するコピー保護パルスは除去され、擬似同期パルスが元の擬似同期パルスよりも前に挿入され、ＡＧＣパルスは元のＡＧＣパルスよりも後に挿入される。かくして、擬似同期パルスとＡＧＣパルスの間にギャップ電圧が生成され、記録可能なコピーが得られる。
【００２６】
図６は、コピー保護信号の同期ｓｙｎｃの後縁を切り詰め（進ませ）、ＡＧＣパルスの前縁を遅延させることにより、ブランキング（帰線消去）レベル付近に時間的ギャップを作成し、記録可能なコピーが得られるようにする回路を示すブロック図である。この切り詰め（トリミング）は、狭小化の別の形態であり、米国特許第５，１９４，９６５号には記載されていない。コピー保護付きのビデオは、点（ａ）において、同期分離器６４へ供給され、同期分離器６４は、擬似同期パルスＰ−ＳＹＮＣを含む複合同期ＣＯＭＰ ＳＹＮＣをワンショット（マルチバイブレータ）６６へ出力する。ワンショット６６は、擬似同期パルスを含む同期パルスの前縁を誘発し、そのパルス幅は制御電圧ＶＣ６６によって制御される。ワンショット６６の出力（ｂ）は、別のワンショット６８に接続され、ワンショット６８のパルス幅は別の制御電圧ＶＣ６８によって制御される。ワンショット６８の出力（ｂ）は、同期パルス又は擬似同期パルスの後半部分と一致するパルスであり、かつ、コピー保護付きの入力ビデオ信号のＡＧＣパルスの開始部分である。同期分離器の出力は、タイミング回路７０にも供給され、タイミング回路７０は、ビデオライン内のコピー保護信号と一致するパルスを発生する。タイミング回路７０及びワンショット６８の出力は、ＡＮＤゲート７２へ供給され、コピー保護パルスが存在する間にスイッチ７４を制御する。図６は、ギャップを発生させるためクロマ帯域通過フィルタ７８を使用し、クロマ帯域通過フィルタ７８は、通常の同期及び／又はレイズド・バックポーチの狭小化中にカラーバーストを再挿入するためにも使用される。実際上、任意のレイズド・バックポーチＡＧＣパルス及び／又はその同期信号の狭小化と減衰とレベルシフトによって、記録可能なコピーが得られる（Ｒｙａｎによる米国特許第４，８１９，０９８号の図３に示されたレイズド・バックポーチＡＧＣ信号を参照せよ）。
【００２７】
図６ａ乃至６ｅには、この種の狭小化の結果が示されている。図６ａは、擬似同期パルスとＡＧＣパルスにより構成された典型的なコピー保護信号を示す図である。図６ｂには、間にギャップ（電圧）が設けられた狭小化擬似同期パルス及び／又はＡＧＣパルスが示されている。図６ｃは、典型的なコピー保護信号の形式で、レイズド・バックポーチＡＧＣパルスを含む水平パルスを示す。図６ｄ及び６ｅには、記録可能なコピーを得るため、レイズド・バックポーチＡＧＣパルスを狭小化（図６ｄ）し、及び／又は、水平同期パルスを狭小化（図６ｅ）する図６の装置の結果が示されている。図６ｅにおいて、カラーバーストは、狭小化後にも、バーストが通常存在する領域に依然として残ることに注意する必要がある。
【００２８】
図７は、位置変調によってＡＧＣパルスの振幅変調を真似る本発明のコピー保護処理を実現する回路のブロック構成図である。コピー保護付き、又は、コピー保護無しの番組ビデオは、入力（ａ）で同期分離器８０へ供給される入力ビデオ信号である。同期分離器０は水平レートパルスＨ ｒａｔｅを出力する。水平レートパルスは、水平ロック（トリガー）発振器８２へ渡される。この発振器の出力は、好ましくは、高周波数（すなわち、半ビデオライン毎に４サイクル）の水平周波数にロックされるが、必ずしもロックされなくてもよい。ワンショット（マルチバイブレータ）タイマー回路８４は、水平ロック発振器８２の正側パルス幅を定める。同時に、同期分離器８０は、水平レートパルスをワンショット８６へ供給し、ワンショット８６の出力はワンショット８８へ供給される。ワンショット８８は、ビデオライン中の擬似同期パルスの場所（すなわち、ビデオラインの３２μ秒又は前半部分）に対するゲート制御パルスを生成する。コピー保護パルスを含む夫々のビデオラインの場所は、ワンショット９０と、（５２５）ラインカウンタ９２と、ＥＰＲＯＭ回路９４とを含む回路によって生成される。同期分離器８０から、水平パルスはワンショット９０に供給され、ワンショットの出力はビデオラインの開始と一致する。フレームリセットパルスが、カウンタのクロック用の水平レートパルスと共に、（５２５）ラインカウンタ９２（ＮＴＳＣの場合に５２５ライン）に供給される。カウンタの出力は、ＥＰＲＯＭ９４のメモリ回路をアドレッシングするため使用される。ＥＰＲＯＭ９４は、コピー保護パルスを含むビデオラインと一致した論理的ハイパルスを出力するようプログラムされる。ＡＮＤゲート９６の出力（ｂ）は、選択されたビデオライン上（すなわち，垂直帰線消去期間中）の反転擬似同期パルスを含む。
【００２９】
位置変調ＡＧＣパルスを発生させる一つの方法は、反転擬似パルス信号にパルス幅変調を生じさせ、次に、ＡＧＣパルスを発生するため、パルス幅変調された反転擬似同期パルス信号の後縁を生起することである。このため、ＡＮＤゲート９６の出力は、反転擬似同期パルス信号の前縁で電圧制御型ワンショットタイマー９８を始動する。ワンショットタイマー９８の出力（ｃ）は、ＡＮＤゲート９６の最小幅と、最小幅よりも１．５μ秒以上長い最大幅とを有するパルスである。たとえば、ＡＮＤゲート９６の出力が２．３μ秒のパルス幅を有する場合、ワンショットタイマー９８の出力は、電圧制御ＶＣ１に応じて、２．３μ秒から少なくとも２．３μ秒＋１．５μ秒、すなわち、３．８μ秒以上まで変化するパルス幅を有する。ワンショットタイマー９８の出力は、ＯＲゲート１００によって、ＡＮＤゲート９６の出力と論理和され、ＯＲゲート１００の出力（ｄ）は、ＡＮＤゲートからの反転擬似同期パルスの最小幅を有することが保証される。ＯＲゲート１００の出力は、電圧制御型ワンショットタイマー１０２に供給された電圧制御ＶＣ２によってパルス幅が電圧制御されるＡＧＣパルスを出力するため、後縁でトリガーをかける。ワンショットタイマー１０２の出力は、擬似同期パルスの後縁からの遅延が零のオーダーから少なくとも１．５μ秒のオーダーまで変化するＡＧＣパルスを発生する。ワンショットタイマー１０２の出力（ＡＧＣパルス）は、入力ビデオ信号と共に加算増幅器１０４へ供給される。ＡＮＤゲート９６からの反転擬似同期パルスの出力Ｐｓｙｎｃは、増幅器１０４の出力と共に（負論理）加算増幅器１０６の反転入力に与えられる。増幅器１０６の出力（ｅ）は、擬似同期パルスに対し位置変調されたＡＧＣパルス、すなわち、動的コピー保護信号を有する。
【００３０】
図７において、ワンショットタイマー８４が電圧制御型である場合、ＡＧＣパルスはパルス幅変調してもよい点に注意する必要がある。図７ａ乃至７ｅには、図７の回路の種々の場所（ａ）〜（ｅ）で発生された波形が示されている。
【００３１】
図８ａ及び８ｂは、図７の回路が、図８ａに例示されるように通常の同期パルス及びレイズド・バックポーチＡＧＣパルスを含むコピー保護パルスに適用され得ることを示す図である。図８ｂは、米国特許第４，８１９，０９８号の図３に示された技術を修正した動的位置変調されたコピー保護信号を示す図である。図８ｂに示された信号は、クラスター、或いは、選択されたビデオラインに現れる。
【００３２】
本発明のコピー保護処理によれば、位置、パルス幅及び／又はギャップ幅の変調、及び／又は、振幅変調は、個々の擬似同期パルス、水平同期パルス、ＡＧＣパルス、又は、レイズド・バックポーチＡＧＣパルスに対して、最大分離区間（コピー保護阻止）から最小分離区間（完全コピー保護）までの時間に亘って行われ得ることに注意する必要がある。たとえば、通常の擬似同期パルスとＡＧＣパルスの４０組のパルス対が追加された場合、ＡＧＣパルスと擬似同期パルスの任意の個数の任意の組み合わせの対の間の分離区間を同時に、或いは、全ての対の間の分離区間を同時に、コピー保護パルス対の充分な数のパルス対にコピー保護を停止するための最大分離区間が設けられるまで、緩やかに増加させることができる。さらに、最大分離区間（コピー保護阻止）から最小分離区間（完全コピー保護）まで分離区間を任意の組み合わせで緩やかに減少させることができる。
【００３３】
別の一例として、コピー保護信号は、垂直帰線消去期間及びその付近を通して付与し続けてもよく、コピー保護信号は、ビデオライン毎に異なる数のパルスが付加されても構わない。たとえば、一実施例において、ビデオライン中の１個の擬似同期パルス及び／又はＡＧＣパルスが変調される。既に説明したように、ＡＧＣパルス又はレイズド・バックポーチＡＧＣパルスは、上記の処理と組み合わせて振幅変調することも可能である。
【００３４】
図９ａは、先行技術のコピー保護信号の波形を示す図である。図９ｂは、擬似同期パルス及び／又はＡＧＣパルスの少なくとも一部分の順序が逆転された、図９ａの信号に対する阻止若しくは修正方法の波形を示す図である。図９ｃは、擬似同期パルス及び／又はＡＧＣパルスの少なくとも一部分を移相すること、すなわち、反転することによって元の処理（たとえば、図９ａ）を阻止若しくは修正する別の方法の波形を示す図である。図９ｃの場合に、移相は、擬似同期パルス及びＡＧＣパルスの１８０°反転である。図９ｂ及び９ｃに示された方法は、水平帰線消去期間内又は水平帰線消去期間付近のコピー保護パルスに適用されることに注意する必要がある。図９ｂ及び９ｃに示された方法は、相対的な減衰、パルス狭小化、レベルシフト、及び／又は、位置変調方式のコピー保護阻止処理と組み合わせてもよい。
【００３５】
図９ｂ及び９ｃに示された技術は、コピー保護信号を合成するために使用することができる。たとえば、コピー保護処理を動的に始動（オン）／停止（オフ）するため、この技術は、図９ａに示されるようなコピー保護信号から始まる（コピー保護が実質的に有効）。次に、この技術は、たとえば、（修正された）コピー保護信号が実質的に図９ｂに示されるようになるまで（コピー保護が実質的に無効）、擬似同期パルスのＡＧＣパルスとの順番を少しずつ逆転する。同様に、コピー保護が完全に有効である図９ａからこの技術が始まる場合、コピー保護処理は、（修正）コピー保護信号が図９ｃに示されるような信号になるまで、擬似同期パルス及び／又はＡＧＣパルスの反転（移相）、減衰、レベルシフト及び／又は位置変調を行うことによって、緩やかに停止される。
【００３６】
図１０を参照するに、ビデオメモリ１１０及び／又は再生信号を使用することにより、図９ａの波形は図９ｂの波形に変形される。本実施例において、ビデオメモリ１１０は、たとえば、図９ａの信号を記憶し、この信号は、図９ｂの信号を得るため、逆転した順序でメモリから読み出される。したがって、図１０のブロック図は、擬似同期パルス及び／又はＡＧＣパルスの全部若しくは選択された部分に対する信号逆転技術を実現する回路の一例を示す図である。
【００３７】
図１１は、図９ａの波形を図９ｃの波形に変形する上述の移相技術を実現する回路の一例を示す図である。このため、反転（又は、移相）増幅器１１２は、図９ａの信号を反転（移相）する。ビデオ混合ディゾルブ増幅器１１４（又は、スイッチャー）は、図９ａの波形を図９ｃの波形に変形又は推移させるため使用される。ディゾルブ増幅器１１４は制御電圧１１８に応答する。したがって、図１１には、反転又は移相増幅器１１２を用いて擬似同期パルス及び／又はＡＧＣパルスの少なくとも一部を反転又は移相させる回路が、スイッチング又はディゾルブ増幅器１１４と共に示されている。オプションのレベルシフト及び／又は減衰回路１１６が図１１に点線で示されている。レベルシフト／減衰回路１１６は、レベルシフト制御信号１２０に応答する。
【００３８】
以上の通り、特定の実施例に関して本発明を説明したが、多様な付加的な特徴及び効果が明細書及び図面の記載から明白であり、本発明の範囲は請求項に記載された事項及びその均等物によって定められる。
【図面の簡単な説明】
【図１ａ】ＡＧＣパルス及び擬似同期パルスによる基本的なコピー保護処理の説明図である。
【図１ｂ】ＡＧＣパルス及び擬似同期パルスによる基本的なコピー保護処理のＵｒａｂａｎｉｅｃによる修正版の説明図である。
【図２】コピー保護信号を阻止するためＡＧＣパルスを位置シフトする種々の方法を示し、本発明のコピー保護処理を行うためＡＧＣパルスの位置を動的にシフトさせる方法の説明図である。
【図３】コピー保護信号を阻止するため、ＡＧＣパルスの位置シフトと狭小化（トリミング）を組み合わせる方法を示し、本発明のコピー保護処理に従ってＡＧＣパルスの位置を動的にシフトし、次に、狭小化する方法の説明図である。
【図４】コピー保護信号を阻止するため擬似同期信号及び／又はＡＧＣパルスを狭小化すると共にＡＧＣパルスと擬似同期パルスの間の相対位置をシフトする種々の方法を示し、ＡＧＣパルス及び／又は擬似同期パルスの位置シフト及び狭小化が零から最大まで行われる場合に本発明のコピー保護信号として使用される技術の説明図である。
【図５】ＡＧＣパルスを遅延することによってコピー保護信号を阻止する装置のブロック図である。
【図５Ａ】５ａから５ｅは、回路の種々のポイントで発生される波形の説明図である。
【図６】擬似同期パルスとＡＧＣパルスの間に時間的ギャップを挿入することによりコピー保護を阻止する装置の説明図である。
【図６Ａ】６ａから６ｅは、入力として典型的なコピー保護信号が与えられた場合の図６の回路に関連した波形又は回路によって発生される波形の説明図である。
【図７】擬似同期パルスの後縁とＡＧＣパルスの前縁の間に（ブランキングレベルの周辺で）動的に変化する時間的ギャップを発生する本発明のコピー保護装置の説明図である。
【図７Ａ】図７の回路の種々のポイントで発生される波形の説明図である。
【図８】８ａ及び８ｂは、阻止処理又はコピー保護信号として使用される第’０９８号特許に記載されたレイズド・バックポーチの位置遅延又は変調を示し、（水平）通常同期パルスの後縁とレイズド・バックポーチＡＧＣパルスの間のギャップを変更することにより、ＶＣＲがレイズド・バックポーチＡＧＣパルスが上下に振幅変調されたものとして応答して実現される本発明の別の動的コピー保護処理の説明図である。
【図９】９ａは先行技術のコピー保護信号を表し、９ｂは擬似同期パルス及び／又はＡＧＣパルスの少なくとも一部を逆転させることによる阻止若しくは修正方法を説明し、９ｃは擬似同期パルス及び／又はＡＧＣパルスの一部を位相シフト（反転）させることにより元の処理（たとえば、９ａの処理）を阻止若しくは修正する別の方法の説明図である。
【図１０】メモリ回路を用いて擬似同期パルス及び／又はＡＧＣパルスの少なくとも一部を逆転させる回路のブロック図である。
【図１１】反転増幅器又は移相増幅器をスイッチング増幅器又はディゾルブ増幅器と共に使用することによって、擬似同期パルス及び／又はＡＧＣパルスの一部を反転又は移相させる回路と、オプション的なレベルシフト及び／又は減衰回路を示すブロック図である。
【図１ａ】
0003613333.tif 000002
【図１ｂ】
0003613333.tif 000003
【図２】
0003613333.tif 000004
【図３】
0003613333.tif 000005
【図４】
0003613333.tif 000006
【図５】
0003613333.tif 000007
【図５Ａ】
0003613333.tif 000008
【図６】
0003613333.tif 000009
【図６Ａ】
0003613333.tif 000010
【図７】
0003613333.tif 000011
【図７Ａ】
0003613333.tif 000012
【図８】
0003613333.tif 000013
【図９】
0003613333.tif 000014
【図１０】
0003613333.tif 000015
【図１１】
0003613333.tif 000016